(57)【要約】【課題】利用者がヘッドの重量を比較的細かく調整することが可能であり、もって１つのヘッドを最適な重量として利用することができるパターヘッドを提供する。またこれに加えて、利用者がパターを介して地面上にあるゴルフボールを拾うことができる機能を備えたパターヘッドを提供する。【解決手段】ヘッド３１の後部に互いに大きさを異にする複数のウエイト固定部４０，４１，４２を設けて任意のウエイト固定部４０，４１，４２に対応する大きさのウエイト４３，４４，４５を固定することにより当該ヘッド３１の重量を利用者個々の好みの重量となるように設定する。ヘッド本体３２の後部に設けた水平プレート状の張り出し部３５に上記ウエイト固定部４０，４１，４２を設けるとともに、その下面側からゴルフボール６１を着脱自在に嵌合する孔状のボール嵌合部３８を設ける。【選択図】図６
2005160691.tif 000002
【特許請求の範囲】
【請求項１】
ゴルフパター（１）に用いられるヘッド（３１）であって当該ヘッド（３１）に重量調整用のウエイト（４３）（４４）（４５）を取り付けるヘッド（３１）において、
当該ヘッド（３１）の後部に互いに大きさを異にする複数のウエイト固定部（４０）（４１）（４２）を設けて任意のウエイト固定部（４０）（４１）（４２）に対応する大きさのウエイト（４３）（４４）（４５）を固定することにより当該ヘッド（３１）の重量を利用者個々の好みの重量となるように設定することを特徴とするゴルフパター用ヘッド。
【請求項２】
請求項１のゴルフパター用ヘッドにおいて、
ヘッド（３１）はヘッド本体（３２）の後部に水平プレート状の張り出し部（３５）を有し、前記張り出し部（３５）にウエイト固定部（４０）（４１）（４２）が設けられるとともに、前記張り出し部（３５）にはその下面側からゴルフボール（６１）を着脱自在に嵌合する孔状のボール嵌合部（３８）が併せ設けられていることを特徴とするゴルフパター用ヘッド。
【請求項３】
請求項２のゴルフパター用ヘッドにおいて、
張り出し部（３５）に設けたボール嵌合部（３８）のトー側およびヒール側に対称的にウエイト固定部（４０）（４１）（４２）が設けられていることを特徴とするゴルフパター用ヘッド。
【発明の詳細な説明】
【技術分野】
【０００１】
本発明は、ゴルフクラブの構成要素の一つであるゴルフパター用ヘッドに関するものである。
【背景技術】
【０００２】
パターで必ず入るパターも無ければ、絶対入らないパターも無い。ただ個人差によるパターの善し悪しは有る。それはその人の体力や運動神経またはパッティングフォーム等による。もしその人にそのパターの商品コンセプトが合致するならば、その人にとってそのパターは「良く入るパター」ということになる。したがって市場には無数のタイプのパターが氾濫している。このような状況のもとで本願発明者らは、振り子タイプのパターにおいて、身長や体重、そしてパッティングスタイルの違い等をカバーするために、パターグリップの選択や長さ調整のできる取付けシステム、パターヘッドの重さをデザインに組み込んだウエイト調整などが可能なパターと、このパターとともに利用するのに適したパター練習機とを開発した。このうち本発明は、パターヘッドのウエイト調整に関するものである。
【０００３】
すなわち例えば図７に示す公知のパター７１においては、そのヘッド７２の背面側に平面略コ字形を呈する比較的大型のウエイト７３が一つ取り付けられている（特許文献１参照）。
【０００４】
しかしながらこのような構成では、利用者はヘッド７２にウエイト７３を取り付けるか否かの二者選択式の利用しかすることができず、よって自らの好みに合うようにヘッド７２の重量を微妙に調整することができないことから、利用者の方がパターに合わせてパッティングフォームを作るという逆転現象が生じている。
【０００５】
また、様々な重量のヘッドを試しながら自分のパッティングフォームを決めていくということも当然なされており、これを１つのヘッドないし１本のパターで行なうことができれば極めて便利である。
【０００６】
【特許文献１】特開２００１−６２０１３号公報（図１）
【発明の開示】
【発明が解決しようとする課題】
【０００７】
本発明は以上の点に鑑みて、利用者がヘッドの重量を調整することが可能であり、もって１つのヘッドを最適な重量として利用することができるパターヘッドを提供することを目的とする。またこれに加えて、利用者がパターを介して地面上にあるゴルフボールを拾うことができる機能を備えたパターヘッドを提供することを目的とする。
【課題を解決するための手段】
【０００８】
上記目的を達成するため、本発明の請求項１によるゴルフパター用ヘッドは、ゴルフパターに用いられるヘッドであって当該ヘッドに重量調整用のウエイトを取り付けるヘッドにおいて、当該ヘッドの後部に互いに大きさを異にする複数のウエイト固定部を設けて任意のウエイト固定部に対応する大きさのウエイトを固定することにより当該ヘッドの重量を利用者個々の好みの重量となるように設定することを特徴とするものである。
【０００９】
また、本発明の請求項２によるゴルフパター用ヘッドは、上記した請求項１のゴルフパター用ヘッドにおいて、ヘッドはヘッド本体の後部に水平プレート状の張り出し部を有し、前記張り出し部にウエイト固定部が設けられるとともに、前記張り出し部にはその下面側からゴルフボールを着脱自在に嵌合する孔状のボール嵌合部が併せ設けられていることを特徴とするものである。
【００１０】
また、本発明の請求項３によるゴルフパター用ヘッドは、上記した請求項２のゴルフパター用ヘッドにおいて、張り出し部に設けたボール嵌合部のトー側およびヒール側に対称的にウエイト固定部が設けられていることを特徴とするものである。
【発明の効果】
【００１１】
本発明は、以下の効果を奏する。
【００１２】
すなわち、上記構成を備えた本発明の請求項１によるゴルフパター用ヘッドにおいては、ヘッドの後部に互いに大きさを異にする複数のウエイト固定部を設けて任意のウエイト固定部に対応する大きさのウエイトを固定することにより当該ヘッドの重量を利用者個々の好みの重量となるよう設定するために、利用者はどのウエイト固定部にどのような大きさのウエイトを固定するかを選択することによって体力やフォーム等に合わせてヘッドの重量を比較的細かく調整することが可能となる。したがって、１つのヘッドを最適な重量として利用することが可能となり、これにより無理のない理想的なパッティングフォームを得ることができる。
【００１３】
またこれに加えて、上記構成を備えた本発明の請求項２によるゴルフパター用ヘッドにおいては、ヘッド本体の後部に水平プレート状の張り出し部が設けられて、この張り出し部にウエイト固定部が設けられるとともに、同じ張り出し部にその下面側からゴルフボールを着脱自在に嵌合する孔状のボール嵌合部が設けられているために、利用者は上記ウエイト調整が可能であるとともに、地面上にあるゴルフボールを屈まなくてもパターを利用して拾うことが可能となる。利用者はパターのグリップを持ち、地面上のボールを見ながらこのボールにボール嵌合部を位置合わせして押し付けることによりボールをボール嵌合部に嵌合する。
【００１４】
また、上記構成を備えた本発明の請求項３によるゴルフパター用ヘッドにおいては、張り出し部に設けたボール嵌合部のトー側およびヒール側に対称的にウエイト固定部が設けられているために、トー側のウエイト固定部にウエイトを固定した場合にはヘッドの重量バランスをトー側に寄せることが可能となり、反対にヒール側のウエイト固定部にウエイトを固定した場合にはヘッドの重量バランスをヒール側に寄せることが可能となる。また、トー側およびヒール側に同じようにウエイトを固定した場合には、ヘッドの重量バランスをトー側にもヒール側にも寄せることなくバランスを保ったまま重量を調整することが可能となる。したがって、このようにどのウエイト固定部にどのような大きさのウエイトを固定するかを選択することによって、ヘッドの重量やそのバランスを微妙に調整することができる。
【発明を実施するための最良の形態】
【００１５】
本発明において、ヘッド本体の後部に水平プレート状の張り出し部を設け、この張り出し部の平面上にウエイト固定部を孔状のボール嵌合部とともに設ける場合には、ウエイト嵌合部をボール嵌合部と同様に孔状のものとして設けるのが好適であり、このようにウエイト固定部を孔状のものとして設けると、水平プレート状の張り出し部の平面上に、互いに大きさ（内径寸法）を異にする孔が多数並ぶことになる。また、ボール嵌合部のトー側およびヒール側に対称的にウエイト固定部を設ける場合には、比較的大径の孔（ボール嵌合部）のトー側およびヒール側にそれぞれ比較的小径の孔（ウエイト固定部）が並ぶことになる。したがってこれらの場合、当該ヘッドはいわゆる形態上の審美性をも有し、意匠的効果をも発揮するものとなる。
【実施例】
【００１６】
つぎに本発明の実施例を図面にしたがって説明する。
【００１７】
図１は、本発明の実施例に係るヘッド３１を備えたゴルフパター１を、アドレスして当該パター１を構えた利用者の目線の方向から見た状態の説明図であって、図示するように当該パター１はその構成要素としてグリップ１１、シャフト２１およびヘッド３１を有している。また、当該パター１はいわゆる振り子式パターであって、シャフト２１はその下端部に屈曲部２２を有するものの、その中心軸線はヘッド３１の重心の方向を向いている。ヘッド３１の重心はヘッド３１の幅方向（トー・ヒール方向、図上上下方向）中央に配置されている。
【００１８】
図２ないし図４は、ヘッド３１の単品図を示しており、ヘッド３１は、フェース面（打球面）３３およびソール面３４を備えた金属製のヘッド本体３２と、このヘッド本体３２の後部に後向きに一体成形された水平プレート状の張り出し部３５と、当該ヘッド３１をシャフト２１に固定すべくシャフト２１の端部を差込み固定するための円筒状のホーゼル部３６とを一体に有している。
【００１９】
ヘッド本体３２は、そのトー側（図２（Ａ）において図上上側）とヒール側（図２（Ａ）において図上下側）とに重量を分散すべく幅方向中央部においてその背面側に凹部状の括れ部３７を有している。
【００２０】
水平プレート状の張り出し部３５は、ヘッド本体３２の幅方向中央に配置されており、ヘッド本体３２のソール面３４よりも高い位置においてフェース面３３と直交する方向に張り出しており、また平面略半円形に形成されている。
【００２１】
この張り出し部３５の平面上であって幅方向中央には、この張り出し部３５の下面側からゴルフボール６１を着脱自在に嵌合するための孔状のボール嵌合部３８が設けられている。このボール嵌合部３８は、張り出し部３５をその厚さ方向に貫通する貫通孔として設けられており、またゴルフボール６１の直径寸法よりも僅かに小さい内径寸法を備えた平面円形の孔として設けられている。また、このボール嵌合部３８の内周面にはその下面側から上面側へと漸次拡径するテーパ３９が付けられており、これによりこのボール嵌合部３８は比較的小さなサイズのゴルフボール６１も比較的大きなサイズのゴルフボール６１も共に嵌合可能とされている。嵌合にはボール６１表面の弾性も利用される。
【００２２】
また、当該ヘッド３１の後部であって張り出し部３５の平面上には、互いに大きさを異にする複数のウエイト固定部４０，４１，４２が設けられており、この複数のウエイト固定部４０，４１，４２のうちの任意のウエイト固定部に、対応する大きさのウエイト４３，４４，４５を固定することによって当該ヘッド３１の重量を利用者個々の好みの重量となるよう設定することができるように構成されている。
【００２３】
当該実施例では、ウエイト固定部４０，４１，４２が６つ設けられており、比較的大きな孔よりなる第一ウエイト固定部４０と、この第一ウエイト固定部４０よりも小さな孔よりなる第二ウエイト固定部４１と、この第二ウエイト固定部４１よりも更に小さな孔よりなる第三ウエイト固定部４２とが３つ一組として、ボール嵌合部３８のトー側およびヒール側に対称的に設けられている。第一、第二および第三ウエイト固定部４０，４１，４２はこの順番にヘッド本体３２側から後ろ側へ向けて並べられている。これらのウエイト固定部４０，４１，４２はいずれもボール嵌合部３８と同様に、貫通孔であってかつ平面円形の孔として設けられている。
【００２４】
図６に示すように、比較的大きな孔よりなる第一ウエイト固定部４０には、対応して比較的大きな第一ウエイト４３が固定される。第一ウエイト４３の重量は例えば６．３ｇとされている。第二ウエイト固定部４１には、対応して中程度の大きさの第二ウエイト４４が固定される。第二ウエイト４４の重量は例えば４．２ｇとされている。第三ウエイト固定部４２には、対応して比較的小さな第三ウエイト４５が固定される。第三ウエイト４５の重量は例えば２．２ｇとされている。これらのウエイト４３，４４，４５はいずれも、略半球状の頭部４６の下面側に、対応するウエイト固定部４０，４１，４２に圧入される大きさを備えた略円柱形の脚部４７が一体成形されている。いずれのウエイト固定部４０，４１，４２にウエイト４３，４４，４５を固定するかは利用者によって選択されることになり、利用者は都合４９パターンの取り付け方のなかから適宜選択することになる。各ウエイト４３，４４，４５はウエイト固定部４０，４１，４２に対して着脱自在であって仮止めが可能とされているが、最終的には競技中に脱落することがないように接着剤等によって固定される。
【００２５】
また、当該ヘッド３１において、その上部すなわちヘッド本体３２の上面には当該ヘッド３１の幅方向中心線を表示するセンターライン４８が立体的な上向きリブとして設けられており（リブの立ち上がり上辺にセンターライン４８が表示されている）、張り出し部３５の上面におけるボール嵌合部３８の周り一箇所であってボール嵌合部３８の後ろ側にも当該ヘッド３１の幅方向中心線を表示するセンターライン４９が凹部状の切欠として設けられている。前者のセンターライン４８はフェース面３３と直交する向きに配置されており、後者のセンターライン４９も当該ヘッド３１の幅方向中心線上に配置されているので、この両センターライン４８，４９は平面上同一直線上に配置されている。また、前者のセンターライン４８のトー側およびヒール側にはそれぞれサブライン５０が設けられている。このサブライン５０はセンターライン４８から一定の間隔をおいてセンターライン４８と平行に配置されており、２本のサブライン５０間はボール略１個分かまたはそれよりも若干大きな間隔に設定されている。これらのセンターライン４８，４９やサブライン５０は、利用者にとって打球方向を定め易くしたり（両センターライン４８，４９を結ぶ直線の延長線上に目標を合わせる）、あるいはヘッド３１のスイートスポットにボール６１を当て易くしたりするために設けられている。
【００２６】
更にまた、当該ヘッド３１において、ヘッド本体３２のフェース面３３にはその中央に位置して凹部５１が設けられており、この凹部５１内に打球時緩衝用のシート状弾性体５２が嵌め込まれている。
【００２７】
上記構成のヘッド３１によれば、以下の作用効果を奏することができる。
【００２８】
すなわち先ず、ヘッド３１の後部に互いに大きさを異にする複数（６つ）のウエイト固定部４０，４１，４２を設けて任意のウエイト固定部４０，４１，４２に対応する大きさのウエイト４３，４４，４５を固定することにより当該ヘッド３１の重量を利用者個々の好みの重量となるよう設定するように構成されているために、利用者はどのウエイト固定部４０，４１，４２にどのような大きさのウエイト４３，４４，４５を固定するかを選択することによって体力やフォーム等に合わせてヘッド３１の重量を比較的細かく調整することが可能とされている。調整は段階的であるが、当該実施例では上記したように４９パターンもが用意されているために微調整が可能である。したがって、利用者は１つのヘッド３１を最適な重量として利用することが可能となり、これにより無理のない理想的なパッティングフォームを得ることができる。
【００２９】
また、ヘッド本体３２の後部に水平プレート状の張り出し部３５が設けられていて、この張り出し部３５にウエイト固定部４０，４１，４２が設けられるとともに、この張り出し部３５にその下面側からゴルフボール６１を着脱自在に嵌合する孔状のボール嵌合部３８が設けられているために、利用者はヘッド３１のウエイト調整が可能であるとともに、地面上にあるゴルフボール６１を拾う際にいちいち屈まなくてもパター１を利用して拾うことが可能とされている。利用者はパター１のグリップ１１を持ち、地面上のゴルフボール６１を見ながらこのゴルフボール６１にボール嵌合部３８を位置合わせして押し付けることにより、ゴルフボール６１をボール嵌合部３８に嵌合する。ボール嵌合部３８は、ヘッド本体３２の後部に設けた水平プレート状の張り出し部３５に貫通孔状のものとして設けられているために、利用者はこのボール嵌合部３８とゴルフボール６１を双方見ながら両者を位置合わせすることができる。
【００３０】
また、張り出し部３５に設けたボール嵌合部３８のトー側およびヒール側に対称的にウエイト固定部４０，４１，４２が設けられているために、トー側のウエイト固定部４０，４１，４２にウエイト４３，４４，４５を固定するとヘッド３１の重量バランスがトー側に寄ることになり、反対にヒール側のウエイト固定部４０，４１，４２にウエイト４３，４４，４５を固定するとヘッド３１の重量バランスがヒール側に寄ることになる。また、トー側およびヒール側に同等にウエイト４３，４４，４５を固定するとヘッド３１の重量バランスをトー側またはヒール側に片寄らせることなくバランスを保ったままで重量を調整することができる。したがって、このようにどのウエイト固定部４０，４１，４２にどのような大きさのウエイト４３，４４，４５を固定するかを選択することによって、ヘッド３１の重量やそのバランスを微妙に調整することができる。
【００３１】
また、図２（Ａ）の平面図などに示したように、ヘッド３１は、比較的大径の円孔（ボール嵌合部３８）のトー側およびヒール側にそれぞれ比較的小径の円孔（ウエイト固定部４０，４１，４２）を複数並べた斬新な形態である。したがって、いわゆる形態上の審美性を有しており、よって意匠的効果にも優れている。
【００３２】
尚、上記実施例には、本発明の技術的思想の範疇で様々な変更を加えることができる。例えば、ウエイト固定部４０，４１，４２の数、形状、配置等は適宜変更が可能であり、ウエイト４３，４４，４５の形状や重量等も適宜変更が可能である。
【図面の簡単な説明】
【００３３】
【図１】本発明の実施例に係るヘッドを備えたパターの全体構成説明図
【図２】同ヘッドの単品図であって、（Ａ）はその平面図、（Ｂ）はその正面図
【図３】同ヘッドの単品図であって、（Ａ）はその左側面図、（Ｂ）はその右側面図
【図４】同ヘッドの単品図であって、（Ａ）はその底面図、（Ｂ）はその背面図
【図５】ボール嵌合部にボールを嵌合した状態を示す斜視図
【図６】ウエイト固定部とウエイトの組み合わせ例を示す斜視図
【図７】従来例に係るヘッドを備えたパターの構成説明図
【符号の説明】
【００３４】
１  パター
１１  グリップ
２１  シャフト
２２  屈曲部
３１  ヘッド
３２  ヘッド本体
３３  フェース面
３４  ソール面
３５  張り出し部
３６  ホーゼル部
３７  括れ部
３８  ボール嵌合部
３９  テーパ
４０，４１，４２  ウエイト固定部
４３，４４，４５  ウエイト
４６  頭部
４７  脚部
４８，４９  センターライン
５０  サブライン
５１  凹部
５２  弾性体
６１  ゴルフボール
【図１】
2005160691.tif 000003
【図２】
2005160691.tif 000004
【図３】
2005160691.tif 000005
【図４】
2005160691.tif 000006
【図５】
2005160691.tif 000007
【図６】
2005160691.tif 000008
【図７】
2005160691.tif 000009